(57)【要約】【課題】大きな騒音を発生することなく、廃棄物を連続的に投入することができる塵芥収集車を提供する。【解決手段】塵芥積込装置４は、廃棄物を投入可能なホッパー５の下部に形成された移送通路６内に回転螺旋体７を配設してなり、回転螺旋体７を回転させてシャシーに搭載された収容箱の後部開口に臨ませた移送通路６の投入口６ｂから廃棄物を収容箱内に積み込む一方、廃棄物投棄時には、テールゲート８を開き回転螺旋体７を回転させて移送通路６内に残留している廃棄物を投入口６ｂから投棄した後、収容箱を後方に傾動させたダンプ姿勢として収納廃棄物を投棄する。【選択図】  図１
2005335888.tif 000002
【特許請求の範囲】
【請求項１】
塵芥収集車（１）のシャシー（２）に搭載される収容箱（３）の後部に装架される塵芥積込装置（４）であって、
廃棄物を投入可能なホッパー（５）の下部に形成された移送通路（６）内に回転螺旋体（７）を配設し、前記移送通路（６）の投入口（６ｂ）を前記収容箱（３）の後部開口（３ａ）に臨ませて前記収容箱（３）内に廃棄物を送り込むようにしたことを特徴とする塵芥積込装置。
【請求項２】
シャシー（２）に搭載された収容箱（３）と、該収容箱（３）の後部開口（３ａ）を開閉自在に覆う傾動自在なテールゲート（８）と、該収容箱（３）内に廃棄物を積み込むために前記テールゲート（８）に設けられる塵芥積込装置（４）と、を備えた塵芥収集車（１）であって、
前記塵芥積込装置（４）は、廃棄物を投入可能なホッパー（５）の下部に形成された移送通路（６）内に回転螺旋体（７）を配設し、前記移送通路（６）の投入口（６ｂ）を収容箱（３）に臨ませたことを特徴とする塵芥収集車。
【請求項３】
前記回転螺旋体（７）は、前記投入口（６ｂ）から離れた一端側が片持ち状態に支持されることを特徴とする請求項２に記載の塵芥収集車。
【請求項４】
前記回転螺旋体（７）は、少なくとも２以上配設されることを特徴とする請求項２又は３に記載の塵芥収集車。
【請求項５】
前記回転螺旋体（７）は、少なくとも一対が互いに内回りに回転することを特徴とする請求項４に記載の塵芥収集車。
【発明の詳細な説明】
【技術分野】
【０００１】
本発明は、例えば、家庭や工場等から排出される廃棄物（資源として再利用するために回収する廃棄物も含む）を車載の収納箱等に搬入するための塵芥積込装置及び塵芥収集車に関する。
【背景技術】
【０００２】
投棄される塵芥やゴミだけでなく資源として再利用するために回収する廃棄物をも含めた広義での廃棄物を収集する塵芥収集車には、従来、主として、ドラム型、プレス型、回転板型の３つのタイプがある。ドラム型は、例えば、図７に示すように、内壁に内向きの掻き上げ羽根５１が形成された断面円形状のドラム５２を収容箱とし、このドラム５２を回転させることによって、ドラム５２の後部に設けられたテールゲート５３の投入口５４から投入された廃棄物をドラム５２の内部に送り込むようにして積み込みを行うものである（例えば、特許文献１参照）。
【０００３】
プレス型は、例えば、図８に示すように、収容箱の後部に取り付けられたテールゲート５５内に、斜め上下方向に往復動する遮蔽板５６と、その遮蔽板５６の下端に回動自在に取付られた反転板５７とからなる積込手段を備えており、反転板５７の反転動作（図８（ａ）参照）、遮蔽板５６及び反転板５７の降下動作（図８（ｂ）参照）、反転板５７の掻込動作（図８（ｃ）参照）、遮蔽板５６及び反転板５７の上昇動作（図８（ｄ）参照）という４つの動作を１サイクルとして繰り返し行うことにより、投入口５８からバケット５９に投入された廃棄物の積み込みを行うものである（例えば、特許文献２参照）。
【０００４】
回転板型は、例えば、図９に示すように、収容箱の後部に取付られたテールゲート６０内に、一端側を支持されて往復動する押込板６１と、回転自在な回転板６２とからなる積込手段を備え、回転板６２の正転動作（図９（ａ）参照）、回転板６２の正転動作・押込板６１の戻り動作（図９（ｂ）参照）、回転板６２の正転動作（図９（ｃ）参照）、押込板６１の押込動作（図９（ｄ）参照）という４つの動作を１サイクルとして繰り返し行うことにより、投入口６３からバケット６４に投入された廃棄物の積み込みを行うものである（例えば、特許文献３参照）。
【特許文献１】特開平０９−２８６００６号公報
【特許文献２】特開２０００−３２７１０５号公報
【特許文献３】特開２０００−１４２９０６号公報
【発明の開示】
【発明が解決しようとする課題】
【０００５】
図７に示すドラム型の塵芥収集車では、ドラム５２を回転させることによって内向きに形成された掻き上げ羽根５１で連続的に廃棄物を積み込むことが可能であるが、掻き上げ羽根５１によって上方に掻き上げられた廃棄物が下方に落下する際に衝撃を伴うかなり大きな落下音（騒音）が発生するという問題があった。
【０００６】
図８（ａ）〜（ｄ）に示すプレス型の塵芥収集車は、積込動作中に廃棄物が落下するようなことはないため、ドラム型のような大きな騒音は発生しない。しかし、図８（ｂ）に示すような遮蔽板５６及び反転板５７の降下動作中に反転板５７が投入口５８を閉塞する間は廃棄物を投入することはできないという問題があった。
【０００７】
図９（ａ）〜（ｄ）に示す回転板型の塵芥収集車も、ドラム型のような大きな騒音は発生しないが、図９（ｄ）に示すように、押込板６１が押込動作を完了するまでは、回転板６２が回転を停止しているので、その間は、投入できる廃棄物の量が制限されるため、結果として、廃棄物を間欠的にしか投入することができないという問題があった。
【０００８】
本発明は、このような実情に鑑みてなされ、大きな騒音を発生することなく廃棄物を連続的に投入することができる塵芥積込装置及び塵芥収集車を提供することを目的とする。
【課題を解決するための手段】
【０００９】
（１）塵芥収集車１のシャシー２に搭載される収容箱３の後部に装架される塵芥積込装置４にあって、
廃棄物を投入可能なホッパー５の下部に形成された移送通路６内に回転螺旋体７を配設し、前記移送通路６の投入口６ｂを前記収容箱３の後部開口３ａに臨ませて前記収容箱３内に廃棄物を送り込むようにしている。
【００１０】
このような構成によれば、ホッパー５から投入した廃棄物を、回転螺旋体７の回転によって移送通路６内を順次連続的に移送させて投入口６ｂから収容箱３内に送り込むため、廃棄物の連続投入が可能となる。また、廃棄物が回転螺旋体７によって強制的に間断なく連続的に収納箱３内に押し込まれるため逆流することがない。そして、ホッパー５から投入された廃棄物は、回転螺旋体７によって移送通路６内を移送されるので落下音は発生せず、騒音の発生を抑制することができる。
【００１１】
（２）本発明の塵芥収集車は、シャシー２に搭載された収容箱３と、該収容箱３の後部開口３ａを開閉自在に覆う傾動自在なテールゲート８と、該収容箱３内に廃棄物を積み込むために前記テールゲート８に設けられる塵芥積込装置４と、を備えた塵芥収集車１にあって、
前記塵芥積込装置４は、廃棄物を投入可能なホッパー５の下部に形成された移送通路６内に回転螺旋体７を配設し、前記移送通路６の投入口６ｂを収容箱３に臨ませている。
【００１２】
このような構成によれば、ホッパー５から投入した廃棄物を、回転螺旋体７の回転によって移送通路６内を順次連続的に移送させて投入口６ｂから収容箱３に送り込むため、廃棄物の連続投入が可能となる。また、廃棄物が回転螺旋体７によって強制的に間断なく連続的に収納箱３内に押し込まれるため逆流することがない。そして、ホッパー５から投入された廃棄物は、回転螺旋体７によって移送通路６内を移動するので落下音は発生せず、騒音の発生を抑制することができる。
また、廃棄物を投棄する際に、テールゲート８を傾動状態に開いた状態として、回転螺旋体７を回転させて移送通路６内に残留している廃棄物を投入口６ｂから投棄することによって、移送通路６内の清掃を行うことができる。
【００１３】
（３）このような塵芥収集車１では、前記回転螺旋体７は、前記投入口６ｂから離れた一端側が片持ち状態に支持されるのが好ましい。このようにすれば、投入口６ｂに至るまでの廃棄物の送り込み方向に障害物がなくなるため高い移送効率を確保することができる。
【００１４】
（４）前記回転螺旋体７は、少なくとも２以上配設されてもよい。多数の回転螺旋体７を配設することで、廃棄物の移送効率を向上させることができる。
【００１５】
（５）前記回転螺旋体７は、少なくとも一対が互いに内回りに回転されるのが好ましい。このようにすれば、投入された廃棄物が両回転螺旋体７，７に噛み込まれるため、確実に廃棄物を移送することができる。
【発明の効果】
【００１６】
（１）本発明の塵芥積込装置は、ホッパーから投入した廃棄物を、回転螺旋体の回転によって移送通路内を順次連続的に移送させて収容箱に送り込むため、廃棄物の連続投入が可能となる。また、廃棄物が回転螺旋体によって強制的に間断なく連続的に収納箱内に押し込まれるため逆流することがない。そして、ホッパーから投入された廃棄物は、回転螺旋体によって移送通路内を移動するので落下音は発生せず、騒音の発生を抑制することができる。
【００１７】
（２）本発明の塵芥収集車は、ホッパーから投入した廃棄物を、回転螺旋体の回転によって移送通路内を順次連続的に移送させて収容箱に送り込むため、廃棄物の連続投入が可能となる。また、廃棄物が回転螺旋体によって強制的に間断なく連続的に収納箱内に押し込まれるため逆流することがない。そして、ホッパーから投入された廃棄物は、回転螺旋体によって移送通路内を移動するので落下音は発生せず、騒音の発生を抑制することができる。
また、廃棄物を投棄する際に、テールゲートを傾動状態に開いた状態として、回転螺旋体を回転させて移送通路内に残留している廃棄物を投入口から投棄することによって、移送通路内の清掃を行うことができる。従って、次に廃棄物を投入する時に、移送通路内に残留した廃棄物によって積込動作が妨げられるような不具合が発生しなくなる。
【発明を実施するための最良の形態】
【００１８】
以下に、本発明の最良の実施の形態に係る塵芥積込装置及び塵芥収集車について図面を参照しつつ詳細に説明する。
図１は塵芥積込装置の断面図、図２は図１のＡ−Ａ矢視断面図、図３は図２のＢ−Ｂ矢視断面図、図４は図３のＣ−Ｃ矢視断面図、図５はテールゲートの側面図、図６は塵芥収集車の全体図である。まず、図６に示すように、この塵芥収集車１は、シャシー２に略水平に載置される載置姿勢及び後方に傾動するダンプ姿勢が可能な収容箱３と、該収容箱３の後部開口３ａを開閉自在に覆う傾動自在なテールゲート８と、該収容箱３内に廃棄物を積み込むために前記テールゲート８に設けられる塵芥積込装置４と、を備えている。
【００１９】
塵芥積込装置４は、図１乃至図５に示すように、廃棄物を投入可能なホッパー５の下部に連設したケーシング６ａによって囲まれて形成される移送通路６内に略平行に配置されて正逆回転駆動される一対の回転螺旋体（スクリュー）７（７１，７２）を配設してなり、その移送通路６の投入口６ｂを収容箱３の後部に臨ませている。回転螺旋体７１，７２は、軸７ａの外周面に、それぞれ互いに逆向きに形成された外向き螺旋羽根７ｂを備えており、外向き螺旋羽根７ｂは、軸７ａの軸方向に所定のピッチで設けられており、かかる回転螺旋体７１，７２が互いに逆向きの内回りに回転することで、投入された廃棄物を投入口６ｂに向けて移送することができる。
【００２０】
各回転螺旋体７の軸７ａの一端側はテールゲート８のフレームに取付られた軸受９によって支持されている。その軸受９は、二枚合せのラジアルベアリング９ａ，９ａを備え、回転螺旋体７の軸７ａを片持ち状態に支持しているが、外向き螺旋羽根７ｂの他端側（軸７ａの他端側）は、移送通路６の投入口６ｂの内面に若干摺接した状態で回転してもよい。このように、投入口６ｂから離れた軸７ａの一端側を軸受９によって片持ち状態に支持させることにより、投入口６ｂに至るまでのケーシング６ａで囲まれた移送通路６における廃棄物の送り込み方向に障害物がなくなるため、高い移送効率を確保することができる。塵芥収集車１は、車幅方向に２連（一対）以上の回転螺旋体７を配設するゆとりが充分にある場合には、図示を省略するが、３連又はそれ以上の回転螺旋体７を車幅方向に配設して廃棄物の移送能力を向上させることも可能である。
【００２１】
また、回転螺旋体７は、投入口６ｂに向けて上り勾配に傾斜した状態に配置されている。即ち、軸受９により支持された軸７ａの一端側が、他端側の投入口６ｂ側よりも低くなっている。このような配置により、回転螺旋体７が回転することで、投入された廃棄物が低い位置から高い位置に押し上げられつつ移送される。より詳しくは、投入された廃棄物が、回転螺旋体７の軸７ａと外向き螺旋羽根７ｂとの間に挟まれて重力の作用も加味されることでケーシング６ａ内に詰め込まれた状態となって連続的に収容箱３に送り移動される。従って、図７に示すように、内向きの掻き上げ羽根５１をドラム５２に内設した従来のドラム型の場合のような、ドラム５２内での廃棄物の落下現象とそれに伴う衝撃音は発生しなくなり、騒音少なくスムーズに廃棄物を移送することができる。また、上述のように回転螺旋体７を傾斜状態に配設しているため、作業者は、軸７ａの一端側に開口する低い位置にあるホッパー５から廃棄物を投入することができるため、投入時の作業性が良好となる。なお、回転螺旋体７の上り勾配は、１０°〜６０°程度に設定することができるが、好ましくは、４０°〜４５°に設定すればよい。また、図示は省略するが、回転螺旋体７１，７２の外周縁に切欠きを形成して廃棄物を収納している袋体を移送中に破袋できるようにすれば、廃棄物を嵩張らないようにして収容箱３に収容することができる。
【００２２】
軸受９から突出した軸７ａの端部にはスプロケット１０が固定され、該スプロケット１０がチェーン１１を介してテールゲート８のフレームに取付られた駆動源としての油圧モータ１２の出力軸に固定されたスプロケット１３に伝動連結されている。このような構成にあって、回転螺旋体７（７１，７２）は、例えば、外径：３００ｍｍ、ピッチ：３００ｍｍ、全長：１０００ｍｍ、二軸間距離：３５０ｍｍに設定することができる。また、回転螺旋体７は、回転数：３０〜１２０ｒｐｍ、好ましくは４０〜８０ｒｐｍで内回り（互いに逆方向の回転）で駆動することができる。
【００２３】
油圧モータ１２は、例えば、図示は省略するが、ＰＴＯ（出力切り替え装置）を介して塵芥収集車１のエンジンで駆動される油圧ポンプ（例えば、車載の作動油タンクに接続されたギヤポンプ等）から油圧油の供給を受けて回転螺旋体７を回転させるように構成することができるが、別途、廃棄物投棄場等に配設されている油圧供給装置から油圧油の供給を受けるようにしてもよい。また、油圧モータ１２に代えて、電動モータで回転螺旋体７を駆動させてもよく、その場合には、例えば、塵芥収集車１のエンジンで駆動される車載の発電機から電動モータに電力を供給してもよく、別途、廃棄物投棄場等に配設されている電源供給装置から電力の供給を受けるようにしてもよい。
【００２４】
塵芥積込装置４の動作は、テールゲート８の後部に設けられた操作盤１４（図５参照）からの指示により制御することができる。即ち、操作盤１４には、積込ボタン、正転ボタン、逆転ボタン、緊急停止ボタンが設けられており、積込ボタンは、廃棄物の積込作業時に操作されると回転螺旋体７が連続して正転（両回転螺旋体７１，７２が互いに逆向きの内回りに回転；例えば、図２では回転螺旋体７１が右回り、回転螺旋体７２が左回り）する。正転ボタンは、押している間だけ回転螺旋体７が正転する。逆転ボタンは、押している間だけ回転螺旋体７が逆転する。廃棄物の噛み込みによる詰まり現象が発生した時その他緊急に回転螺旋体７を停止させる際には、緊急停止ボタンを押すと回転螺旋体７は停止する。
【００２５】
テールゲート８の上端は、支軸１５を介して、収容箱３の後部開口３ａの上縁に回動自在に枢着され、図６に二点鎖線で示すように、ＰＴＯ（出力切り替え装置）を介して塵芥収集車１のエンジンで駆動される油圧ポンプ（例えば、車載の作動油タンクに接続されたギヤポンプ等）から油圧油の供給を受けるテールゲートシリンダ１６によって収容箱３に対して傾動動作する。即ち、テールゲートシリンダ１６の一端（本体基部）は収容箱３の後部開口３ａの側縁部に枢着され、他端（ピストン先端）はテールゲート８の側部フレーム２０の中央部に枢着されており、テールゲート８が図６に実線で示す状態では、収容箱３の後部開口３ａが閉じられており、二点鎖線で示す状態では、ダンプ姿勢の収容箱３の後部開口３ａが開かれている。なお、収容箱３が図６に実線で示すような載置姿勢にある状態においても、図示は省略するが、二点鎖線で示す開き角度と同程度にテールゲート８を開くことができる。
【００２６】
テールゲート８の背面側には、ホッパー５の開口が臨む背面側開口（図示省略）を開閉自在に覆う開閉扉１７が設けられ、通常、図１に実線で示すように、ホッパー５の開口が背面側開口と共に開閉扉１７によって閉じられており、廃棄物を投棄する際には、開閉扉１７を上方に移動させて背面側開口を開き、ホッパー５の開口を外部に向けて開放することができる。
【００２７】
開閉扉１７は、図５に示すように、スプリング１８によって引き上げ方向に弾発付勢された左右一対のリンク部材１９を介してテールゲート８に支持され、開閉扉１７を開く際には、下部に取付られたノブ２１を掴んで上方に押し上げると、スプリング１８の弾発力によって二点鎖線で示す上方の開放待機位置まで容易に移動させることができ、その位置で開閉扉１７を保持させることができる。開閉扉１７を閉じる際には、ノブ２１を掴んで下方に押し下げればよい。
【００２８】
テールゲート８の下部には、図１に示すように、廃棄物を積み込む際に排出される汚水を収集するためのビルジタンク２２が略車幅方向の全幅にわたって設けられており、このビルジタンク２２には外部から開閉操作できる手動式の開閉扉２３が設けられている。このビルジタンク２２は、収容箱３の後部開口３ａの下部に車幅方向に沿って設けられている樋２４の両端から下方に延びる図示省略の流通路に接続されている。
【００２９】
このような構成により、収容箱３内に積み込まれた廃棄物から出る汚水を外部に放出させることなくこのビルジタンク２２に収集することができる。なお、２５は開閉扉２３を開閉操作するためのラッチ機構付きハンドルである。また、このテールゲート８は、収容箱３の後部開口３ａを閉じた状態で、ＰＴＯ（出力切り替え装置）を介して塵芥収集車１のエンジンで駆動される油圧ポンプ（例えば、車載の作動油タンクに接続されたギヤポンプ等）から油圧油の供給を受けるロックシリンダ（図示省略）によってロックされ、走行中等に廃棄物が外部に放出されないようにしている。
【００３０】
一方、シャシー２に搭載される収容箱３は、その後端両側下部がシャシー２に傾動自在に枢着され、略中央部底部とシャシー２との間に配設されたダンプシリンダ（図示省略）によって、シャシー２に略水平に載置される載置姿勢から後方に傾動するダンプ姿勢（図６に二点鎖線で示す）に傾動する動作が可能となる。上述のダンプシリンダはＰＴＯ（出力切り替え装置）を介して塵芥収集車１のエンジンで駆動される油圧ポンプ（例えば、車載の作動油タンクに接続されたギヤポンプ等）から油圧油の供給を受ける。
【００３１】
以上のように構成される塵芥収集車１による廃棄物の積込動作について説明すると、まず、テールゲート８の開閉扉１７を、図１の二点鎖線で示す上方の開放待機位置に移動させ、ホッパー５の開口を露出させ、操作盤１４の積込ボタンを押して、回転螺旋体７１，７２を連続正転させた状態として廃棄物をホッパー５に投入する。投入された廃棄物は、両回転螺旋体７１，７２に噛み込まれて移送通路６に沿って移動して投入口６ｂから収容箱３内に送り込まれる。
【００３２】
収容箱３内に送り込まれた廃棄物は後から押し込まれる廃棄物の押込み圧によって順次内部に押し込められるため、廃棄物の連続投入が可能となり、投入作業の能率が向上する。また、廃棄物が回転螺旋体７１，７２によって強制的に間断なく収容箱３内に送り込まれるため逆流することがない。そして、ホッパー５から投入された廃棄物は、両回転螺旋体７１，７２によって移送通路６内を移動するので落下音は発生せず、騒音の発生を抑えることができる。また、回転螺旋体７１，７２の回転数を４０〜８０ｒｐｍに設定することで、回転螺旋体７１，７２の回転に伴って発生する遠心力によって廃棄物が飛散するような不具合の発生を防止することができる。さらに、両回転螺旋体７１，７２が内回りに回転することて、投入された廃棄物が両回転螺旋体７１，７２の間に噛み込まれるため、廃棄物が確実に収容箱３内に送り込まれる。
【００３３】
廃棄物を投棄する時には、まず、ロックシリンダによるロック状態を解除して、テールゲートシリンダ１６を作動させて収容箱３を載置姿勢としたままでテールゲート８を限度まで開く。次いで、ダンプシリンダを作動させて収容箱３をダンプ姿勢とし（テールゲート８は開いたまま）、内部に収容している廃棄物を投棄する。投棄が終了すると、ダンプシリンダを作動させて収容箱３を載置姿勢とし、かつ、テールゲートシリンダ１６を作動させてテールゲート８を閉じ、ロックシリンダを作動させてテールゲート８を閉状態にロックすれば、走行可能な状態となる。
【００３４】
なお、本発明の塵芥積込装置及び塵芥収集車は、実施の形態に限定されることなく、発明の要旨を逸脱しない限りにおいて、設計変更や改良等は自由である。例えば、本実施の形態では、ダンプ式の収容箱３を搭載した塵芥収集車１について説明したが、本発明の塵芥積込装置４は、これに限定されることなく、図示は省略するが、収容箱３内に配設した前後方向に移動可能な排出板により、 収納廃棄物を後部開口３ａから押し出すようにした塵芥収集車にも適用することができる。この場合、廃棄物を投棄する際には、排出板で廃棄物を押し出す前に、ビルジタンク２２内の汚水の排出と、回転螺旋体７１，７２及び移送通路６（及び回転螺旋体７１，７２）内に残留している廃棄物の放出とを行うのが好ましい。一対の回転螺旋体７１，７２の回転数、ピッチ、外径、全長等は同一である必要はなく、互いに異ならせてもよい。また、本実施の形態では、移送通路６内に一対の回転螺旋体７１，７２を設けているが、本発明の塵芥積込装置４は、回転螺旋体７の数を実施の形態に限定するものではなく、単一であってもよく３連以上設けられてもよい。また、回転螺旋体７の形状（外径）を先細り状等に形成してもよい。
【図面の簡単な説明】
【００３５】
【図１】本発明の実施の形態に係る塵芥積込装置の断面図である。
【図２】同図１のＡ−Ａ線矢視断面図である。
【図３】同図２のＢ−Ｂ線矢視断面図である。
【図４】同図３のＣ−Ｃ線矢視断面図である。
【図５】同塵芥積込装置の側面図である。
【図６】同塵芥収集車の状態変化図を含む側面図である。
【図７】従来のドラム型の塵芥収集車の一例を示す側面図である。
【図８】同プレス型の塵芥収集車の一例における要部動作説明図で、（ａ）は反転板の反転動作、（ｂ）は遮蔽板と反転板の下降動作、（ｃ）は反転板の掻込動作、（ｄ）は遮蔽板と反転板の上昇動作の説明図である。
【図９】同回転板型の塵芥収集車の一例における要部動作説明図で、（ａ）は回転板の正転動作、（ｂ）は回転板の正転動作・押込板の戻り動作、（ｃ）は回転板の正転動作、（ｄ）は押込板の押込動作の説明図である。
【符号の説明】
【００３６】
１…塵芥収集車、２…シャシー、３…収容箱、４…塵芥積込装置、５…ホッパー、６…移送通路、６ｂ…投入口、７…回転螺旋体、８…テールゲート
【図１】
2005335888.tif 000003
【図２】
2005335888.tif 000004
【図３】
2005335888.tif 000005
【図４】
2005335888.tif 000006
【図５】
2005335888.tif 000007
【図６】
2005335888.tif 000008
【図７】
2005335888.tif 000009
【図８】
2005335888.tif 000010
【図９】
2005335888.tif 000011